(57)【要約】【課題】機能設定を容易且つ迅速に行うことができるファクシミリ装置を提供することを目的とする。【解決手段】デジタル複合機（ファクシミリ装置）１は、装置の設定を行うために用いられる各種設定項目の設定値と種々の設置環境条件とを対応付けた内部設定マップを、管理部１０７に記憶する。ファクシミリ装置１の機器制御部１０４は、操作部１０２を介して入力された設置環境条件と内部設定マップに基づいて、入力された設置環境条件と関連付けられた設定項目の設定値を決定し、それを装置設定情報として管理部１０７に記憶させる。【選択図】図１
2008061166.tif 000002
【特許請求の範囲】
【請求項１】
公衆回線に接続されファクシミリ通信を行うファクシミリ装置であって、
該ファクシミリ装置の設定を行うために用いられる設定項目の設定値を前記ファクシミリ装置の設置環境条件と関連付けて記憶する記憶手段と、
ユーザからの前記ファクシミリ装置の設置環境の設定操作を受け付ける操作受付手段と、
前記記憶手段を参照して、前記操作受付手段が受け付けた前記ファクシミリ装置の設置環境条件と関連付けられた設定項目の設定値に基づいて前記ファクシミリ装置の設定を行う設定手段と、を備えたことを特徴とするファクシミリ装置。
【請求項２】
前記設置環境条件は、前記公衆回線と前記ファクシミリ装置の間に接続された機器に関する条件を含むことを特徴とする請求項１に記載のファクシミリ装置。
【請求項３】
前記設置環境条件は、前記公衆回線を介して受けられるサービスに関する条件を含むことを特徴とする請求項１に記載のファクシミリ装置。
【請求項４】
前記設置環境条件は、前記公衆回線で用いられる信号に関する条件を含むことを特徴とする請求項１に記載のファクシミリ装置。
【請求項５】
前記公衆回線で用いられる信号に関する条件に関連する設定を自動的に行うことを特徴とする請求項４に記載のファクシミリ装置。
【請求項６】
ファクシミリ装置の設定が完了していないときに前記ユーザによりファクシミリ送信が試みられた場合に、ファクシミリ装置の設定が完了していない旨を前記ユーザに通知する通知手段をさらに備えたことを特徴とする請求項１〜５のいずれか１に記載のファクシミリ装置。
【発明の詳細な説明】
【技術分野】
【０００１】
本発明は、ファクシミリ装置に関する。
【背景技術】
【０００２】
従来、ファクシミリ装置の機能設定は、サービスマンが接続回線、使用条件などの設置環境に合わせて、装置の設定を行うために用いられる各種設定項目の設定値（ソフトスイッチの値）を入力することにより行われていた。図１３は、従来のファクシミリ装置における機能設定処理の一例を説明するためのフローチャートである。
【０００３】
従来のファクシミリ装置で機能設定を行う場合は、通常、まず、設定者認証が開始され、サービスマンが機能設定可能な者であることを示す情報（パスワード等）を入力する（Ｓ１０１）。そして、ファクシミリ装置は、入力された情報に基づき、入力した者が設定可能な者か否かを認証機能にて判断し（Ｓ１０２）、設定可能な者でないと判定した場合（Ｓ１０２−ＮＯ）は、ステップＳ１１に戻る。設定可能な者であると判定した場合（Ｓ１０２−ＹＥＳ）は、フラッシュメモリに格納された機能設定のためのプログラムを起動する（Ｓ１０３）。
【０００４】
装置の設定項目には機能ごとに固有の番号が割り振られているので、次に、サービスマンが、接続環境や使用条件（内線交換機、ＴＡ（ターミナルアダプタ）、ビジネスホンの有無情報、ナンバーディスプレイに関する情報など）に基づいて、変更が必要な設定項目の番号を入力する（Ｓ１０４）。ファクシミリ装置は、その番号に基づき、その時に記憶されている設定値（たとえばコール回数）を表示する。
【０００５】
続いて、サービスマンは、設置環境を考慮して、装置設定情報として適切な設定値データ（たとえばコール回数であれば、６回（設定データ）等）を入力し、設定する（Ｓ１０５）。これにより全ての設定が終了した場合（Ｓ１０６−ＹＥＳ）、ファクシミリ装置は設定者認証を解除し（Ｓ１０７）、終了する。全ての設定が終了していない場合（Ｓ１０６−ＮＯ）は、ステップＳ１０４に戻る。
【発明の開示】
【発明が解決しようとする課題】
【０００６】
公衆回線に接続することで、画情報の送信を行うファクシミリ装置においては、公衆回線に用いられる信号の種類や、公衆回線とファクシミリ装置との間に位置する接続機器の情報に基づいて、個々に接続可能な状態に設定する必要があるが、所定の知識を備えたサービスマンが上述のように設定値（ソフトスイッチの値）を設定することで対策を行っている。しかし、この方法では、回線環境の把握や装置の設定に長時間を要するばかりでなく、誤入力等により何時も正しい設定になるとは限らないのが現状である。
【０００７】
つまり、ファクシミリ装置は、利用者の環境により、内線交換機、ＴＡ、ビジネスホン主装置などが接続されており、単に回線を接続するだけでは通信が行えない。また、利用者がナンバーディスプレイサービスの利用を希望したとしても、適切な設定をしなければ、サービスを利用できない。また、公衆回線がプッシュボタン方式かダイヤルパルス方式か、ダイヤルトーンが検出されるかどうかなどの情報に基づいて、正しい設定を行わなければ通信が行えない。
【０００８】
そのため、従来のファクシミリ装置では、サービスマンなどの特別な設定者が、ファクシミリ装置の設置環境を考慮して、関係のある設定項目の設定値を判断して入力する必要があり、この場合、サービスマン（設定者）個人の能力に頼ることとなり、設定の迅速性に欠けるうえ、設定時の入力ミスなどにより、必ずしも正しい設定とはならないという問題点を有していた。
そこで、本発明は、上記の問題点を解決するために、機能設定を容易且つ迅速に行うことができるファクシミリ装置を提供することを目的とする。
【課題を解決するための手段】
【０００９】
上記目的を達成するために、本発明の第１の技術手段は、公衆回線に接続されファクシミリ通信を行うファクシミリ装置であって、該ファクシミリ装置の設定を行うために用いられる設定項目の設定値を、前記ファクシミリ装置の設置環境条件と関連付けて記憶する記憶手段と、ユーザからの前記ファクシミリ装置の設置環境の設定操作を受け付ける操作受付手段と、前記記憶手段を参照して、前記操作受付手段が受け付けた前記ファクシミリ装置の設置環境条件と関連付けられた設定項目の設定値に基づき前記ファクシミリ装置の設定を行う設定手段と、を備えたことを特徴としたものである。
【００１０】
第２の技術手段は、第１の技術手段において、前記設置環境条件は、前記公衆回線と前記ファクシミリ装置の間に接続された機器に関する条件を含むことを特徴としたものである。
【００１１】
第３の技術手段は、第１の技術手段において、前記設置環境条件は、前記公衆回線を介して受けられるサービスに関する条件を含むことを特徴としたものである。
【００１２】
第４の技術手段は、第１の技術手段において、前記設置環境条件は、前記公衆回線で用いられる信号に関する条件を含むことを特徴としたものである。
【００１３】
第５の技術手段は、第４の技術手段において、前記公衆回線で用いられる信号に関する条件に関連する設定を自動的に行うことを特徴としたものである。
【００１４】
第６の技術手段は、第１乃至第５のいずれかの技術手段において、前記ファクシミリ装置の設定が完了していないときに前記ユーザによりファクシミリ送信が試みられた場合に、ファクシミリ装置の設定が完了していない旨を前記ユーザに通知する通知手段をさらに備えたことを特徴としたものである。
【発明の効果】
【００１５】
本発明によれば、ファクシミリ装置の機能設定時に、サービスマンがファクシミリ装置の設置環境を考慮してファクシミリ装置の機能設定をするのではなく、ユーザなどの設定者が設置環境条件を入力し、その設置環境条件と関連付けられて記憶される設定項目の設定値に基づき装置の詳細設定が行われることで、ファクシミリ装置の設定が短時間で可能となり、ファクシミリ装置に知識がない者であっても、装置の設定が容易となる。
【発明を実施するための最良の形態】
【００１６】
図１は、本発明に係るファクシミリ装置が組み込まれるデジタル複合機の構成例を説明するためのブロック図で、図２は、図１のデジタル複合機における後述の操作部の一例を示す図である。図１に示すデジタル複合機１は、ファクシミリ装置、複写機、ネットワークスキャナ装置、プリンタ装置、及びメール送信装置の機能を備えた複合機として構成されたものである。
【００１７】
デジタル複合機１は、演算を行うＣＰＵ及び演算に伴う一時的な情報を記憶するＲＡＭ等からなる機器制御部１０４を備えている。機器制御部１０４には、デジタル複合機１を制御するための制御プログラムを記憶しているＲＯＭが含まれる。また、機器制御部１０４には、デジタル複合機１が行う処理を管理するための情報（装置設定情報を含む各種の制御情報）を記憶するメモリである管理部１０７が接続されている。管理部１０７には、ファクス通信のための装置の設定が完了したことを示す後述の設定完了情報が、設定完了時に記憶される。ただし、この設定完了情報は、他の記憶手段に記憶されていても良い。機器制御部１０４は、ファクス送信要求があったときに、設定完了情報が記憶されているかどうかを判断し、その結果に基づき、ファクス送信処理を行うか否かを決定するように構成されている。
【００１８】
また、機器制御部１０４には、記録用紙に記録された原稿画像を読み取って画像データを生成する画像読取部１０１が接続される。この画像読取部１０１には、原稿画像を画像データとして取り込むためのＣＣＤ１０１ａと、原稿の有無を検知する原稿検知センサ１０１ｂとが設けられる。
【００１９】
また、機器制御部１０４には、記録用紙上に画像データを形成する画像形成部１０３が接続される。この画像形成部１０３には、画像データを一時的に記憶するメモリ１０３ａと、メモリ１０３ａが記憶した画像データから画像を形成して記録用紙に記録する印字部（ＬＳＵ）１０３ｂとが設けられる。そして、デジタル複合機１は、画像読取部１０１が生成した画像データをメモリ１０３ａに一旦記憶させた後、印字部１０３ｂで画像を形成することができる。なお、メモリ１０３ａに一旦記憶させた画像データは、ハードディスク（ＨＤ）１０６に記憶するようにしてもよく、その場合、さらにメモリ１０３ａに読み出すことで印字部１０３ｂへの画像データの伝送を可能にする。このようにして、デジタル複合機１は複写機として機能する。
【００２０】
また、機器制御部１０４には、ファクシミリ通信を行うＦＡＸモデム１０８が接続されており、ＦＡＸモデム１０８は公衆回線網Ｎ１に接続されている。デジタル複合機１は、画像読取部１０１が生成するか外部から取得するかによってメモリ１０３ａやＨＤ１０６に記憶させた画像データを、ＦＡＸモデム１０８に接続された公衆回線網Ｎ１を介して他のファクシミリ装置２へファクシミリ通信にて送信することができる。また、デジタル複合機１は、公衆回線網Ｎ１を介して他のファクシミリ装置２から送信された画像データをＦＡＸモデム１０８で受信し、受信した画像データから画像形成部１０３で画像を形成することができる。このようにして、デジタル複合機１はファクシミリデータを送受信するファクシミリ装置として機能する。
【００２１】
なお、ＦＡＸモデム１０８にはダイヤルトーンを検出するダイヤルトーン検出部１０８ａが設けられている。また、ＦＡＸモデム１０８と公衆回線網Ｎ１との間には、多くの場合、内線交換機、ＴＡ、ビジネスホン主装置などの外部機器が接続されている。デジタル複合機１は、これら外部機器を介して、他のファクシミリ装置２とファクシミリ通信する。
【００２２】
また、機器制御部１０４には、デジタル複合機１が外部と情報を送受信するための通信部１０５が接続されている。通信部１０５は、社内ＬＡＮ等の通信ネットワークＮ２に接続可能であり、その通信ネットワークＮ２には１又は複数のパーソナルコンピュータ（ＰＣ）３が接続可能である。デジタル複合機１が単独で動作している通常の状態では、通信部１０５は通信ネットワークＮ２に接続されており、通信ネットワークＮ２を介してＰＣ３との間で情報を交換する。
【００２３】
デジタル複合機１は、画像読取部１０１が生成するなどした画像データを通信部１０５からＰＣ３へ送信することができる。このようにして、デジタル複合機１はネットワークスキャナ装置として機能する。なお、生成した画像データをＨＤ１０６に保存する場合には、デジタル複合機１は単なるスキャナ装置として機能することとなる。
【００２４】
また、デジタル複合機１は、ＰＣ３から送信された画像データを通信部１０５で受信し、受信した画像データから画像形成部１０３で画像を形成することができる。このようにして、デジタル複合機１はプリンタ装置として機能する。
【００２５】
通信ネットワークＮ２は、更にインターネット等の広域通信ネットワークＮ３に接続されている。通信部１０５は、電子メールに画像データを添付して送信するなどの方法により、広域通信ネットワークＮ３に接続されたインターネットファクシミリ装置４や外部ＰＣ５との間で、通信ネットワークＮ２及び広域通信ネットワークＮ３を介して画像データを送受信することができる。このようにして、デジタル複合機１は、インターネットファクシミリ装置として機能すると共に、画像データを添付して電子メールを送信するメール送信装置や画像データをＦＴＰ（File  Transfer  Protocol）で送信するデータ送信装置として機能する。
【００２６】
また、機器制御部１０４には、ユーザからの操作を受け付ける操作部１０２が接続されている。操作部１０２は、ユーザの操作により制御命令などの情報が入力されるタッチパネル又はテンキー等の入力部１０２ａと、操作のために必要な情報を表示する液晶パネル等の表示部１０２ｂとからなる操作パネルで構成される。なお、ユーザがナンバーディスプレイサービスを利用する場合は、デジタル複合機１が公衆回線網Ｎ１に接続される他のファクシミリ装置２から着呼すると、表示部１０２ｂにＦＡＸ送信元の情報（送信元ＦＡＸ番号など）が表示される。また、機器制御部１０４は、管理部１０７に設定完了情報が記憶されていないときにファクス送信要求があった場合、装置の設定が完了していない旨を、表示部１０２ｂを介して通知する。
【００２７】
図２を参照すると、操作部１０２を構成する操作パネル（ユーザインターフェース）１１０には、スタートキー１１１ａやクリア（全解除）キー１１１ｂといった主たる制御を行う主キー１１１が設けられている。またこの他に、テンキー１１２、プリンタキー１１３、ファックス／イメージ送信キー１１４、コピーキー１１５、ジョブ状況キー１１６、ユーザ設定キー１１７、タッチパネル１１８が設けられている。
【００２８】
プリンタキー１１３、ファックス／イメージ送信キー１１４、コピーキー１１５は、ファクス機能などのデジタル複合機のそれぞれの機能を使用する際に、タッチパネル１１８上に機能に関わるＧＵＩ（Graphical  User  Interface）を表示させるためのキーである。ジョブ状況キー１１６は、現在のジョブ状況（例えば、処理が完了したジョブのリスト）をタッチパネル１１８に表示させるためのキーであり、ユーザ設定キー１１７は、タッチパネル１１８での表示画面をユーザ設定画面へ移行させるためのキーである。
【００２９】
また、機器制御部１０４には、上述のごとくＨＤ１０６が接続されている。ＨＤ１０６は、画像読取部１０１が生成した画像データ等の画像処理に係る画像データを記憶する。また、機器制御部１０４には消去部１０９が接続される。消去部１０９は、機器制御部１０４による制御に従って、ＨＤ１０６に記録保持されているデータを消去する。
【００３０】
デジタル複合機１は、上述のように、公衆網回線（及び外部機器）を介してファクシミリ通信を行うファクシミリ装置として機能するものであるが、この機能は、機器制御部１０４が管理部１０７の装置設定情報や制御情報に基づき、各要素を動作させることにより達成される。そのため、デジタル複合機１を動作させる場合、特に、ファクシミリ装置として機能させる場合、管理部１０７に装置設定情報として記憶される装置の設定が、接続環境等の設置環境に合わせて適切に行われていなければ、通信を行うことができず、また、ユーザが希望するファクシミリ装置関連のサービスを受けることができない。
【００３１】
そこで、本発明においては、管理部１０７などの記憶手段で、デジタル複合機（ファクシミリ装置）１の各種設定項目の設定値を、デジタル複合機１の設置環境条件と関連付けて、内部設定マップとして記憶し、この内部設定マップとユーザが入力する設置環境条件に基づいて、デジタル複合機１の設定を行う。すなわち、本発明においては、ユーザが設置環境条件を操作部１０２（操作パネル１１０）を介して入力した後、機器制御部１０４は、記憶手段に記憶される内部設定マップを参照して、入力された設置環境条件から設定項目の設定値を決定し、それを装置設定情報とし、その装置設定情報に基づき、デジタル複合機１を動作させる。
【００３２】
この構成により、デジタル複合機（ファクシミリ装置）の設定を装置内部のソフトスイッチの内容を気にする必要なく設定することができるので、装置内部のソフトスイッチを用いて機能設定する場合と比べ、設置環境条件をただ入力するのみであるため、機能設定が遥かに容易でかつ設定を迅速に行うことができる。
【００３３】
また、本発明においては、ダイヤルトーン検出部１０８ａにてダイヤルトーンの検出ができるので、ダイヤルトーンの検出結果と内部設定マップから設定値を決定し、その設定値に基づき動作するようにデジタル複合機（ファクシミリ装置）を構成してもよい。
【００３４】
図３は、本発明に係るファクシミリ装置が記憶する、種々の設置環境条件と設定項目の設定値とを対応付けた内部設定マップの一例を示す図である。上述のように、内部設定マップは図１の管理部１０７などの記憶手段に保存されており、装置設定情報（設定値）も同様に管理部１０７などの記憶手段に保存されている。
ユーザが、例えば、後述の設置環境の設定画面を介して、設置環境条件を択一的に選択したとき、機器制御部１０４は、その選択結果（設置環境条件）から、対応する設定値（ソフトスイッチの値）をこの内部設定マップによって決定する。
【００３５】
内部設定マップは、ユーザが入力した設置環境条件から、設置環境条件に左右される、もしくは設置環境によって望ましい設定となるように設定値（ソフトスイッチの値）を決定するためのものであり、機器制御部１０４は、内部設定マップに基づき決定されたソフトスイッチの値を、記憶手段に保存されている装置設定情報に上書きする。
【００３６】
図３の例では、例えば、デジタル複合機（ファクシミリ装置）が、図２の操作パネル１１０を介して、ターミナルアダプタの接続の「有」「無」をユーザに問い合わせたときに、ユーザが「有」を選択した場合、機器制御部１０４は、図３の内部設定マップを参照して、ソフトスイッチ１−１の値（設定値）を１に決定し、記憶手段に保存されているソフトスイッチ１−１の値（装置設定情報）に上書きする。  
【００３７】
なお、内部設定マップでは、個別の設置環境条件に影響を受けない設定項目は値を持たない構成となっている。例えば、ＴＡ接続有りの場合、機器制御部はソフトスイッチ１−１の値を１に決定するが、その他の内部設定マップに登録されているソフトスイッチ２−１の値等や、設定マップに登録されていないソフトスイッチの値には影響を与えない構成である。
【００３８】
次に上記のようなデジタル複合機の設定処理時の操作手順を、図４〜図８に示すデジタル複合機の操作部の画面例を参照しながら説明する。ここでは、設置環境条件の入力は、特定の設定権限をもつユーザのみにより設定可能であるとして説明する。
図４は、本発明に係るデジタル複合機において設定時に用いられる操作部の一例を示す図であり、図２のタッチパネル１１８のユーザ設定画面例を示している。
【００３９】
まず図２に示すユーザ設定キー１１７を押すと、図４に示すようなユーザ設定画面キー１２０が表示される。ユーザ設定画面キー１２０には、総使用枚数表示１２１、画面コントラストキー１２２、データリストプリントキー１２３、日付・時刻設定キー１２４、給紙トレイ設定キー１２５、相手先登録キー１２６、等の設定項目キーが表示され、これら設定項目キーに従って各項目に従う設定を行うことができる。ユーザ設定画面１２０には、さらにキーオペレータプラグラムキー１２７、サービス設定キー１２８が設けられる。
【００４０】
図５は、設置環境の設定画面に入るための認証入力画面例を示す図である。タッチパネル１１８上のサービス設定キー１２８を押下することで、図５（Ａ）に示す、テンキー１１２によるサービスコード入力画面（設定者認証画面）１３０に移り、ここで設定者等がサービスコード入力部１３１に対してサービスコードを入力する（図５（Ｂ））。
【００４１】
図６は、正しいサービスコード入力により設定者認証がなされた後に表示されるサービス設定のメニュー画面例を示す図である。図５のサービスコード入力画面でサービスコードを入力することで、図６に示すようなサービス設定のメニュー画面１４０へ遷移することが可能となる。サービスコードが正しくない場合は、図４のユーザ設定画面に戻る。サービス設定のメニュー画面１４０には、デジタル複合機（ファクシミリ装置）の設置環境条件を入力するためのファクス診断モード用のキー１４１が設けられる。
【００４２】
図７は、ファクス診断モードにおける設置環境の設定画面例を示す図である。図６のサービス設定のメニュー画面１４０内のファクス設定診断モード１４１をタッチすることで、図７の設置環境設定画面（ファクス設定診断モード画面）１５０に遷移することとなる。
設置環境設定画面１５０には、「ＴＡ（ターミナルアダプタ）は接続されているか」など設置環境条件を問う設置環境条件問合せ部１５１と、設置環境条件問合せ部１５１の問いに対して設置環境条件を入力するための設置環境条件入力部１５２と、設置環境条件問合せ部１５１及び設置環境条件入力部１５２の表示を切り替えるためのスクロールキー１５３、設定終了時に押下されるＯＫキー１５４とが設けられる。
【００４３】
図７の設置環境設定画面１５０は、設定者が設置環境条件入力部１５２及びスクロールキー１５３等を押して設置環境条件（ＴＡ接続有無等）を順に入力していく画面となっており、ユーザが設定する全ての設置環境条件を入力し終えた状態にてＯＫキー１５４を押下することで、デジタル複合機（ファクシミリ装置）１は内部設定マップを展開し、獲得した設置環境条件から、内部設定マップを用いて決定されたソフトスイッチの値（設定値）で、それまでのソフトスイッチの値（装置設定情報）を上書きし、次の画面（後述の図８の電話番号入力画面）に遷移する。ひとつでも入力漏れがある状態でＯＫキー１５４を押下した場合は、入力項目が足りていない旨を示す警告が出た後に、図６または図７の状態へ戻る。
【００４４】
図８は、テンキーにてファクス通信テスト先の電話番号を入力するための電話番号入力画面例を示す図である。ユーザが設定する全ての設置環境条件を入力し終えた状態で、設置環境設定画面１５０のＯＫキー１５４を押下すること、ファクス通信テスト先の電話番号入力画面１６０が表示される。設定者が、その電話番号入力画面１６０の電話番号入力部１６１にテンキー１１２で電話番号を入力し、ＯＫキー１６２を押下することで、デジタル複合機（ファクシミリ装置）は通信テストを開始する。通信テストの際に通信が可能であれば、少なくとも通信に関連する装置設定情報（ソフトスイッチの値）は正しい値であるので、通信テストを終了し、内部設定マップを格納し、ファクス診断モードを終了する。通信テストの際に通信が不可能であれば、ファクス通信を行うことができないことを伝えるメッセージ（以下、通信不可メッセージ）を表示部１０２ｂに表示し、再び図７の設置環境条件の入力画面に戻るようにしてもよい。
【００４５】
上記の例は、設定可能な設置環境条件を設定者が全て入力し、入力された設置環境条件に基づき装置設定情報を設定する例であるが、設置環境条件のうち公衆回線で用いられる信号に関する条件（ダイヤルトーン検出の有無、プッシュボタン方式／ダイヤルパルス方式のどちらか）については、自動的に設定されるようにし、それに基づき装置設定情報を設定してもよい。この場合には、例えば、以下のようにして当該条件に関する装置設定情報を設定する。
【００４６】
上記の通信テストが行われたときに、通信が可能であれば、公衆回線で用いられる信号に関する条件（以下、公衆回線関連条件とする）に関して予め設定されていた装置設定情報は正しい値であるので、そのまま使用する。一方、通信が不可能であれば、機器制御部１０４は、内部設定マップを参照し以前のものと違う組み合わせの公衆回線関連条件を新たに設定すると共にそれに対応する装置設定情報を設定し通信テストを行うということを、通信テストで通信が可能になるまで繰り返す。通信が可能になれば、少なくとも通信に関連する装置設定情報はそのとき正しい値となっているので、通信テストを終了し、内部設定マップを格納し、ファクス診断モードを終了する。
このような方法により、公衆回線関連条件について設定者が設定しなくても装置設定情報が自動的に正しい値に設定されるので、設定を迅速に行うことができる。
【００４７】
通信テストの際に、公衆回線関連条件の全ての組み合わせ（図３の例では、ダイヤルトーンの検出「有」，「無し」の２条件と、プッシュボタンまたはダイヤルパルスの２条件とを組み合わせた計４通りの組み合わせ）について通信が不可能であった場合は、通信不可メッセージを表示部１０２ｂに表示し、再び図７の設置環境条件の入力画面に戻る。もしくは、通信不可メッセージを表示部１０２ｂに表示し、内部設定マップを格納し、ファクス診断モードを終了する。
【００４８】
図９は、本発明に係るファクシミリ装置における機能設定時の処理の一例を示すフローチャートである。
図９において、まず、操作者が機能設定（内部設定）可能な者であることを示す情報（パスワード等）を入力し（Ｓ１１）、その者が設定可能な者か否かを認証機能にて判断し（Ｓ１２）、設定可能な者であると判定した場合（Ｓ１２−ＮＯ）は、ステップＳ１１に戻る。設定可能な者でないと判定した場合（Ｓ１２−ＹＥＳ）は、例えば機器制御部のＲＯＭに格納された、設定のためのプログラムを起動し、図７に示すような設置環境設定画面を表示する（Ｓ１３）。
【００４９】
そして、設定者が、設置環境条件（ＴＡ、ビジネスホン主装置の有無情報、ナンバーディスプレイサービスを希望するか否かなど）を入力し（Ｓ１４）、設定者が設定すべき設置環境条件の設定が全て終了したか否かを判定し（Ｓ１５）、終了していないと判定した場合（Ｓ１５−ＮＯ）は、ステップＳ１４に戻る。全ての設定が終了していた場合は（Ｓ１５−ＹＥＳ）、内部に保持している、ステップＳ１４で入力した設置環境条件からソフトスイッチの値を決定付ける内部設定マップを展開し（Ｓ１６）、設置環境条件と内部設定マップから設定値（ソフトスイッチの値）を決定し（Ｓ１７）、設定値情報（ソフトスイッチの値）を書き換える（Ｓ１８）。
【００５０】
次にファクス通信テストを行い（Ｓ１９）、正常に通信できたかを判断し（Ｓ２０）、正常に通信できていないと判断した場合（Ｓ２０−ＮＯ）は、公衆回線関連条件（ダイヤルトーン検出の有無や、プッシュボタン／ダイヤルパルスかどうか）に関係するソフトスイッチの値を内部設定マップから判断して変更する（Ｓ２１）。その後、ファクス通信テストを再度行い（Ｓ２２）、正常に通信できたかを判断し（Ｓ２３）する。Ｓ２１〜Ｓ２３は、正常に通信できるようになるか、または、公衆回線関連条件の全ての組み合わせに関して通信テストを行うまで、繰り返される。
【００５１】
繰り返し通信テストを行っても正常に通信ができなかった場合（Ｓ２３−ＮＯ）は、ファクス通信を行うことができない旨を表示部に表示し（Ｓ２４）、設置環境条件を再入力するかどうか設定者に問い合わせる（Ｓ２５）。ユーザが設置環境条件再入力を望む場合（Ｓ２５−ＹＥＳ）は、Ｓ１３に戻り、望まない場合（Ｓ２５−ＮＯ）は、内部設定マップを格納し（Ｓ２６）、設定者認証を解除し（Ｓ２７）、終了する。
【００５２】
ファクス通信テストまたは再ファクス通信テストの時にファクス通信が正常に行われた場合（Ｓ２０−ＹＥＳまたはＳ２３−ＹＥＳ）は、ファクス通信のための装置の設定が完了したことを示す設定完了情報を記憶手段に記録し（Ｓ２８）、内部設定マップを格納し（Ｓ２６）、設定者認証を解除し（Ｓ２７）、終了する。
【００５３】
図１０は、本発明に係るファクシミリ装置における処理の一例を説明するためのフローチャートであり、図１０を用いて、ファクス通信のための装置の設定が完了していないときにファクシミリ送信が試みられた場合のファクシミリ装置の処理を説明する。
ファクシミリ装置はまず、ファクシミリ送信の要求が行われているかどうか判断し（Ｓ３１）、行われていない場合（Ｓ３１−ＮＯ）は、Ｓ３１に戻る。行われている場合（Ｓ３１−ＹＥＳ）は、記憶手段に設定完了情報が記録されているかどうかを判断（Ｓ３２）することにより、ファクシミリ装置がファクス通信できる状態にあるか判断する。設定完了情報が記録されている場合（Ｓ３２―ＹＥＳ）は、ユーザが送信先を選択し（Ｓ３３）、原稿のデータ化（Ｓ３４）などを行って送信準備を行い、図１の機器制御部１０４はＦＡＸモデム１０８に対して送信を指示する（Ｓ３５）。一方、設定完了情報が記録されていない場合（Ｓ３２―ＮＯ）、すなわち、ファクシミリ装置がファクス通信できる状態にない場合は、機器制御部１０４は表示部１０２ｂにファクシミリ装置の設定が完了していない旨を表示させる（Ｓ３６）。
【００５４】
次に、本発明の画像処理装置が適用可能なデジタル複合機の具体的な構成例を説明する。図１１はデジタル複合機の斜視概略図で、図１２はデジタル複合機の内部構成を示す図である。
このデジタル複合機１では、原稿の画像を読取って記録用紙に印刷する複写モード、原稿の画像を読取って送信したり、原稿の画像を受信して記録用紙に印刷したりするファクシミリモード、及び情報端末装置からネットワークを通じて受信した画像を記録用紙に印刷するプリンタモード等を選択的に行うことができる。
このデジタル複合機１は、その構成を大別すると、原稿搬送読取部１ａ、画像形成部１ｂ、給紙部１ｃ、排紙処理装置１ｄを備えている。
【００５５】
次に、ファクシミリモードを例に挙げて、デジタル複合機１の動作を説明する。
まず、原稿を原稿搬送読取り部１ａの原稿セットトレイ１１にセットすると、原稿検知センサ１２が原稿をセットされたことを検出する。そしてユーザが、原稿搬送読取り部１ａの操作パネル１１０を操作することにより、ファクシミリ送信先等を入力設定する。その後、操作パネル１１０の操作によりファクシミリ通信の開始を指示する。
【００５６】
これらの操作に応答して原稿搬送読取り部１ａでは、ピックアップローラ１３により原稿セットトレイ１１上の各原稿を１枚ずつ引き出し、原稿をサバキ板１４と搬送ローラ１５間を介してプラテンガラス１６へと送り出す。そして、原稿をプラテンガラス１６上で副走査方向に搬送して原稿排出トレイ１７へと排出する。原稿排出トレイ１７上の原稿の有無は原稿排出トレイセンサ２５により検出される。
【００５７】
このとき、第１読取り部２１によって原稿の表面（下側面）を読取る。ここでは、第１読取り部２１の第１走査ユニット２３を、所定のポジションに移動して位置決めし、第２走査ユニット２４を所定位置に位置決めしておき、第１走査ユニット２３の露光ランプにより原稿の表面をプラテンガラス１６を介して照射し、原稿の反射光を第１及び第２走査ユニット２３、２４の各反射ミラーにより結像レンズ２６へと導き、原稿の反射光を結像レンズ２６によりＣＣＤ（Charge  Coupled  Device）２７に集光させ、原稿の表面の画像をＣＣＤ２７上に結像させ、これにより原稿の表面の画像を読取る。
【００５８】
また、第２読取り部２２によって原稿の裏面（上側面）を読取る。第２読取り部２２は、プラテンガラス１６の上方に配置されており、原稿の裏面を照射する露光ランプ（ＬＥＤ（Light Emitting Diode）アレイ、蛍光灯等）、画素毎に原稿の反射光を集光するセルフォックレンズアレイ、及びセルフォックレンズアレイを通じて受光した原稿の反射光を光電変換して、アナログの画像信号を出力する密着イメージセンサ（ＣＩＳ；Contact Image Sensor）等を備えている。
【００５９】
こうして原稿の片面もしくは両面が読取られると、原稿の片面もしくは両面の画像を示す画像データがマイクロコンピュータ等の機器制御部１０４（図１参照）に入力され、ここで画像データに各種の画像処理等が施され、ＦＡＸモデム１０８（図１参照）から公衆回線網を介して他のファクシミリ装置にファクス送信される。
【００６０】
一方、ファクス受信時には、公衆回線網からＦＡＸモデム１０８（図１参照）を介して受信した画像データは、機器制御部１０４（図１参照）に入力され画像処理等が施され、画像形成部１ｂへと出力される。
画像形成部１ｂは、画像データによって示される原稿の画像を記録用紙に印刷するものであって、感光体ドラム３１、帯電装置３２、レーザスキャンユニット（以下ＬＳＵと称する）３３、現像装置３４、転写装置３５、クリーニング装置３６、除電装置（図示せず）、及び定着装置３７等を備えている。
【００６１】
また、画像形成部１ｂには、主搬送路３８及び反転搬送路３９が設けられており、給紙部１ｃから給紙されて来た記録用紙が主搬送路３８に沿って搬送される。給紙部１ｃは、用紙カセット４１に収納された記録用紙、または手差トレイ４２に載置された記録用紙を１枚ずつ引き出して、記録用紙を画像形成部１ｂの主搬送路３８へと送り出す。
画像形成部１ｂの主搬送路３８に沿って記録用紙が搬送されている途中で、記録用紙が感光体ドラム３１と転写装置３５との間を通過し、更に定着装置３７を通過して、記録用紙に対する印刷が行われる。
【００６２】
感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取り部１ａからの画像データに基づいてレーザ光を変調し、このレーザ光によって感光体ドラム３１表面を主走査方向に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、該転写装置３５と感光体ドラム３１間を通過して行く記録用紙に感光体ドラム３１表面のトナー像を転写する。定着装置３７は、記録用紙を加熱及び加圧して、記録用紙上のトナー像を定着させる。
【００６３】
主搬送路３８と反転搬送路３９の接続位置には、分岐爪４３が配設されている。記録用紙の片面だけに印刷が行われる場合は、分岐爪４３が位置決めされ、この分岐爪４３により定着装置３７からの記録用紙が排紙トレイ４４又は排紙処理装置１ｄの方へと導かれる。
また、記録用紙の両面に印刷が行われる場合は、分岐爪４３が点線で示す位置に回転移動されて、記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４又は排紙処理装置１ｄの方へと導かれる。
【００６４】
こうして印刷された記録用紙は、排紙トレイ４４又は排紙処理装置１ｄの方へと導かれて、排紙トレイ４４に排出されたり、排紙処理装置１ｄの各排紙トレイ１ｄ１のいずれかに排出される。排紙処理装置１ｄは、複数の記録用紙を各排紙トレイ１ｄ１に仕分けして排出したり、各記録用紙にパンチング処理を施したり、各記録用紙にステープル処理を施したりするものである。
【図面の簡単な説明】
【００６５】
【図１】本発明に係るファクシミリ装置が組み込まれるデジタル複合機の構成例を説明するためのブロック図である。
【図２】図１のデジタル複合機における操作部の一例を示す図である。
【図３】内部設定マップの一例を示す図である。
【図４】ユーザ設定画面例を示す図である。
【図５】設置環境の設定画面に入るための認証入力画面例を示す図である。
【図６】サービス設定のメニュー画面例を示す図である。
【図７】ファクス診断モードにおける設置環境条件の入力画面例を示す図である。
【図８】ファクス通信テスト先の電話番号を入力するための電話番号入力画面例を示す図である。
【図９】本発明に係るファクシミリ装置における処理の一例を示すフローチャートである。
【図１０】本発明に係るファクシミリ装置における処理の他の例を示すフローチャートである。
【図１１】デジタル複合機の斜視概略図である。
【図１２】デジタル複合機の内部構成を示す図である。
【図１３】従来のファクシミリ装置における機能設定処理の一例を説明するためのフローチャートである。
【符号の説明】
【００６６】
１…デジタル複合機、２…ファクシミリ装置、３…ＰＣ、４…インターネットファクシミリ装置、５…外部ＰＣ、１０１…画像読取部、１０１ａ…ＣＣＤ、１０１ｂ…原稿検知センサ、１０２…操作部、１０２ａ…入力部、１０２ｂ…表示部、１０３…画像形成部、１０３ａ…メモリ、１０３ｂ…印字部、１０４…機器制御部、１０５…通信部、１０６…ハードディスク（ＨＤ）、１０７…管理部、１０８…ＦＡＸモデム、１０８ａ…ダイヤルトーン検出部、１０９…消去部。
【図１】
2008061166.tif 000003
【図２】
2008061166.tif 000004
【図３】
2008061166.tif 000005
【図４】
2008061166.tif 000006
【図５】
2008061166.tif 000007
【図６】
2008061166.tif 000008
【図７】
2008061166.tif 000009
【図８】
2008061166.tif 000010
【図９】
2008061166.tif 000011
【図１０】
2008061166.tif 000012
【図１１】
2008061166.tif 000013
【図１２】
2008061166.tif 000014
【図１３】
2008061166.tif 000015